(57)【要約】【課題】熱交換器のフィン表面に担持された担持層の吸着性を向上させると共に、担持層とフィンとの接着性を向上させる。【解決手段】上記担持層（58）のフィン（57）表面と隣接するフィン隣接部の吸着剤／バインダ重量比で表す吸着剤配合比が、該担持層（58）の厚さ方向の最も外側に位置する最外部の上記吸着剤配合比よりも小さくする。【選択図】図８
2005283061.tif 000002
【特許請求の範囲】
【請求項１】
多数のフィン（57）を有すると共に、空気中の水分の吸着と空気中への水分の脱離とを行う吸着剤（60）が表面に担持された熱交換器であって、
上記フィン（57）表面は、上記吸着剤（60）と該吸着剤（60）を上記フィン（57）表面に担持するためのバインダ（62）とを配合してなる担持層（58）によって被覆され、
上記担持層（58）の上記フィン（57）表面と隣接するフィン隣接部の吸着剤／バインダ重量比で表す吸着剤配合比が、該担持層（58）の厚さ方向の最も外側に位置する最外部の上記吸着剤配合比よりも小さいことを特徴とする熱交換器。
【請求項２】
請求項１に記載の熱交換器において、
上記担持層（58）は、厚さ方向に上記吸着剤配合比が異なる多層構造となっていることを特徴とする熱交換器。
【請求項３】
請求項２に記載の熱交換器において、
上記担持層（58）は、上記フィン（57）に近い層ほど、上記吸着剤配合比が小さいことを特徴とする熱交換器。
【請求項４】
請求項１に記載の熱交換器において、
上記吸着剤（60）は、ゼオライト、シリカゲル又はそれらの混合物であり、
上記バインダ（62）は、ウレタン樹脂、アクリル樹脂又はエチレン酢酸ビニル共重合体であることを特徴とする熱交換器。
【発明の詳細な説明】
【技術分野】
【０００１】
本発明は、熱交換器に関し、特に、吸着剤（60）と冷凍サイクルとを利用して空気の湿度調節を行う調湿装置等に用いられる熱交換器の技術分野に属する。
【背景技術】
【０００２】
従来より、吸着剤と冷凍サイクルとを利用して空気の湿度調節を行う調湿装置が知られており、この調湿装置に用いられる熱交換器として特許文献１に開示されたものがある。この熱交換器は、伝熱管としての銅管の周囲に板状のフィンが設けられ、この銅管やフィン表面に吸着剤が担持されている。吸着剤の担持は、銅管の外周面及びフィンの表面にアクリル粘着性バインダを塗布した後に吸着剤を添着すること、または、銅管の外周面及びフィンの表面に吸着剤と水ガラスとを混練したものを塗布した後に水ガラスを乾燥焼成することによって行われている。
【０００３】
そして、この熱交換器は、特許文献１に開示されているように、例えば調湿装置に用いられる。この調湿装置は、２つの熱交換器を備えている。
【０００４】
上記調湿装置の運転中には、２つの熱交換器の一方がその銅管に温熱媒が供給されて蒸発器となり、他方がその銅管に冷媒が供給され凝縮器となっている。また、それぞれの銅管に供給する冷媒と温熱媒とを切り替えることによって、各熱交換器は交互に蒸発器として機能したり凝縮器として機能したりする。
【特許文献１】特開平７−２６５６４９号公報
【発明の開示】
【発明が解決しようとする課題】
【０００５】
ところで、上記調湿装置の調湿能力を向上させるためには、熱交換器の吸着性能を高める必要がある。この吸着性能を高めるためには、フィンへの吸着剤の担持量を増加させることが考えられ、その方策として、フィンの表面積はそのままでフィンへの吸着剤の担持量を増加させるか、フィンの表面積を拡大させてフィンへの吸着剤の担持量を増加させることが考えられる。
【０００６】
しかしながら、フィンの表面積はそのままでフィンへの吸着剤の担持量を増加させると、担持層が厚くなる。担持層が厚くなると、担持層の厚さ方向への剛性が上がるため、担持層がフィンから剥離しやすくなり、担持層とフィンとの接着性が低下する。
【０００７】
一方で、フィンの表面積を拡大すると、担持層とフィンとの接着性は維持されるが、熱交換器が大きくなり、ひいては装置全体の大型化を招き、実用的ではない。
【０００８】
本発明は、かかる点に鑑みてなされたものであり、その目的とするところは、上記担持層の吸着性を向上させると共に、担持層とフィンとの接着性を向上させることにある。
【課題を解決するための手段】
【０００９】
第１の発明は、多数のフィン（57）を有すると共に、空気中の水分の吸着と空気中への水分の脱離とを行う吸着剤（60）が表面に担持された熱交換器が対象である。
【００１０】
そして、上記フィン（57）表面は、上記吸着剤（60）と該吸着剤（60）を上記フィン（57）表面に担持するためのバインダ（62）とを配合してなる担持層（58）によって被覆され、上記担持層（58）の上記フィン（57）表面と隣接するフィン隣接部の吸着剤／バインダ重量比で表す吸着剤配合比が、該担持層（58）の厚さ方向の最も外側に位置する最外部の上記吸着剤配合比よりも小さいものとする。
【００１１】
上記の構成の場合、上記フィン（57）表面には吸着剤（60）が担持されており、被処理空気がこのフィン（57）近傍を通過すると空気中の水分が該吸着剤（60）に吸着されて、被処理空気は除湿されることになる。このとき水分が吸着されることにより発生する吸着熱を熱交換器の熱媒体によって回収している。一方、熱交換器の熱媒体によって熱を回収するのではなく、熱媒体によって熱を供給すると、吸着剤（60）は加熱され該吸着剤（60）に吸着されていた水分が脱離する。こうして、被処理空気は加湿されることになる。
【００１２】
ここで、上記吸着剤（60）のフィン（57）表面への担持は、吸着剤（60）とバインダ（62）とを配合してなる担持層（58）によってなされていて、フィン（57）表面は、この担持層（58）によって被覆されている。
【００１３】
そして、上記担持層（58）は厚みを有するものであるが、担持層（58）の厚み方向について、吸着剤／バインダ重量比で表す吸着剤配合比を均一にするのではなく、担持層（58）のフィン隣接部と最外部とで、上記吸着剤配合比を変えている。
【００１４】
具体的には、フィン隣接部の上記吸着剤配合比が最外部の上記吸着剤配合比よりも小さくなるように構成されている。すなわち、フィン隣接部においてはバインダ（62）が比較的多く、最外部においては吸着剤（60）が比較的多くなっている。
【００１５】
上記フィン（57）表面と隣接する部分であって、上記担持層（58）とフィン（57）表面との界面を含んでいるフィン隣接部では、接着剤の役割を果たすバインダ（62）が比較的多くなっているため、該フィン隣接部と隣接するフィン（57）表面との界面で接着性が向上する。尚、上記吸着剤配合比は吸着剤／バインダで表されることから、担持層（58）のフィン隣接部の上記吸着剤配合比が零の場合、すなわち、フィン隣接部がバインダ（62）のみで構成される場合も含まれ、かかる場合に接着性は最大となる。
【００１６】
一方、上記担持層（58）の厚さ方向の最も外側に位置し、被処理空気と最もよく接触する最外部では、吸着剤（60）が比較的多くなっているため、吸着性能が向上する。
【００１７】
第２の発明は、第１の発明において、上記担持層（58）は、厚さ方向に上記吸着剤配合比が異なる多層構造となっているものとする。
【００１８】
上記の構成の場合、上記担持層（58）は、層毎に上記吸着剤配合比が異なっている。すなわち、上記担持層（58）のフィン（57）表面と隣接する位置には、上記バインダ（62）が比較的多いフィン隣接層（58a）が形成される一方、担持層（58）の厚さ方向の最も外側には、上記吸着剤（60）が比較的多い最外層（58d）が形成されている。
【００１９】
また、上記担持層（58）は、多層構造となっているため、厚さ方向の亀裂に強い構造となっている。すなわち、例えば、担持層（58）に曲げ荷重が作用して担持層（58）に厚さ方向の亀裂が生じた場合に、該担持層（58）が単層構造であれば、この亀裂は成長しやすく、容易にフィン（57）表面まで達することになる。ところが、本発明においては、担持層（58）が多層構造となっているため、各層の境界面毎に亀裂の成長が止まり、亀裂がフィン（57）表面まで達しにくい構造となっている。
【００２０】
第３の発明は、第２の発明において、上記担持層（58）は、上記フィン（57）に近い層ほど、上記吸着剤配合比が小さいものとする。
【００２１】
上記の構成の場合、上記担持層（58）の上記吸着剤配合比を厚さ方向に見た場合に、上記フィン（57）表面と隣接するフィン隣接層（58a）の上記吸着剤配合比が最も小さく、最も外側の最外層（58d）の上記吸着剤配合比が最も大きい。そして、該フィン隣接層（58a）から最外層（58d）に向かって各層の上記吸着剤配合比は漸次小さくなっている。
【００２２】
このように吸着剤配合比を漸次変化させることによって、フィン隣接層（58a）とフィン（57）表面との剥離は起こりにくいが、フィン隣接層（58a）とこれに厚さ方向外側に隣接する層（58b）との間では剥離が起こったり、被処理空気と比較的接触しやすい、最外層(58d）の厚さ方向内側に隣接する層（58c）に吸着剤（60）の量が少ないため、この層（58c）がほとんど被処理空気中の水分を吸着しなかったりすることがない。すなわち、上記フィン隣接層（58a）や最外層（58d）の厚さ方向両端に位置する層だけでなく、担持層（58）のうちフィン側に位置する層（58a,58b）は接着性に優れる一方、外側に位置する層（58c,58d）は吸着性に優れる多層構造として、担持層（58）全体として接着性及び吸着性を向上させている。
【００２３】
第４の発明は、第１の発明において、上記吸着剤（60）は、ゼオライト、シリカゲル又はそれらの混合物であり、上記バインダ（62）は、ウレタン樹脂、アクリル樹脂又はエチレン酢酸ビニル共重合体であるものとする。
【００２４】
上記の構成の場合、ウレタン樹脂、アクリル樹脂又はエチレン酢酸ビニル共重合体は、セメント類等の無機物系バインダと比較して耐衝撃性に優れている。
【発明の効果】
【００２５】
本発明によれば、上記担持層（58）のフィン隣接部の上記吸着剤配合比を最外部の上記吸着剤配合比よりも小さくすることによって、担持層（58）のフィン（57）表面への接着性と担持層（58）の空気中の水分の吸着性とを同時に向上させることができる。
【００２６】
上記第２の発明によれば、上記担持層（58）を厚さ方向に上記吸着剤配合比が異なる多層構造とすることによって、担持層（58）は厚さ方向の亀裂に対して強い構造となる。
【００２７】
上記第３の発明によれば、担持層（58）においてファンに近いほど上記吸着剤配合比を小さくすることによって、担持層（58）全体として、接着性及び吸着性を向上させることができる。
【００２８】
上記第４の発明によれば、セメント類等の無機物系バインダと比較して、耐衝撃性に優れ、振動等による担持層（58）の剥離が起こりにくくなる。
【発明を実施するための最良の形態】
【００２９】
以下、本発明の実施形態を図面に基づいて詳細に説明する。
【００３０】
《発明の実施形態》
図１はこの発明の実施形態に係る熱交換器を備える調湿装置の構成を概略的に示し、図１（ａ）は図１（ｂ）のＸ−Ｘ線における断面図、図１（ｂ）は内部を見せた状態の平面図であって図で下側が正面側である。図１（ｃ）は図１（ｂ）のＹ−Ｙ線における断面図である。この調湿装置は矩形箱状のケーシング（1）を備え、ケーシング（1）内部は、前後に延びる第１仕切板（3）で収納容積の大きい左側の第１空間（5）と、収納容積の小さい右側の第２空間（7）とに区画されている。また、上記第１空間（5）は、左右に平行に延びる前後２枚の第２及び第３仕切板（9,11）で収納容積の大きい中央の第３空間（13）と、収納容積の小さい前後２つの第４及び第５空間（15,17）とに区画され、上記第３空間（13）は、前後に延びる第４仕切板（19）で左側空間（13a）と右側空間（13b）とに区画されている。さらに、後側の第５空間（17）は、左右に水平に延びる第５仕切板（21）で上下に区画され、上側空間を第１流入路（23）とし、下側の空間を第１流出路（25）としている。一方、前側の第４空間（15）も、左右に水平に延びる第６仕切板（27）で上下に区画され、上側空間を第２流入路（29）とし、下側の空間を第２流出路（31）としている。
【００３１】
上記第３仕切板（11）には、４つの第１〜４開口（11a〜11d）が第３空間（13）の左右の空間（13a,13b）、第１流入路（23）及び第１流出路（25）と連通するように上下左右に並んで形成されている（図１（ａ）参照）。また、上記第２仕切板（9）にも、４つの第５〜８開口（9a〜9d）が第３空間（13）の左右の空間（13a,13b）、第２流入路（29）及び第２流出路（31）と連通するように上下左右に並んで形成されている（図１（ｃ）参照）。なお、これら第１〜４開口（11a〜11d）及び第５〜８開口（9a〜9d）には、図示しないが、ダンパがそれぞれ開閉自在に設けられている。
【００３２】
また、上記ケーシング（1）の左側面後側には、室外空気吸込口（33）が上記第１流入路（23）に連通するように形成され、ケーシング（1）の右側面後側には排気吹出口（35）が形成され、この排気吹出口（35）は上記第２空間（7）後側に配置された排気ファン（37）に接続されて第１流出路（25）と連通している。一方、上記ケーシング（1）の左側面前側には、室内空気吸込口（39）が上記第２流入路（29）に連通するように形成され、ケーシング（1）の右側面前側には給気吹出口（41）が形成され、この給気吹出口（41）は上記第２空間（7）前側に配置された給気ファン（43）に接続されて第２流出路（31）と連通している。
【００３３】
このように構成されたケーシング（1）内には、図２に示すような冷媒回路（45）が収納されている。この冷媒回路（45）は、第１熱交換器（47）、第２熱交換器（49）、圧縮機（51）、四方切換弁（53）及び電動膨張弁（55）が介設された閉回路であって冷媒が充填されていて、この冷媒を循環させることにより蒸気圧縮式の冷凍サイクルが行われる。具体的には、圧縮機（51）の吐出側が四方切換弁（53）の第１ポートに接続され、吸入側が四方切換弁（53）の第２ポートに接続されている。第１熱交換器（47）の一端は四方切換弁（53）の第３ポートに接続され、他端は電動膨張弁（55）を介して第２熱交換器（49）の一端に接続されている。第２熱交換器（49）の他端は四方切換弁（53）の第４ポートに接続されている。四方切換弁（53）は、第１ポートと第３ポートが連通して第２ポートと第４ポートが連通する状態（図２（ａ）に示す状態）と、第１ポートと第４ポートが連通して第２ポートと第３ポートが連通する状態（図２（ｂ）に示す状態）とに切り換え自在に構成されている。そして、この冷媒回路（45）は、四方切換弁（53）を切り換えることにより、第１熱交換器（47）が凝縮器として機能して第２熱交換器（49）が蒸発器として機能する第１冷凍サイクル動作と、第１熱交換器（47）が蒸発器として機能して第２熱交換器（49）が凝縮器として機能する第２冷凍サイクル動作とを切り換えて行うように構成されている。また、冷媒回路（45）の各構成要素は、図１に示すように、第１熱交換器（47）が第３空間（13）の右側空間（13b）に、第２熱交換器（49）が第３空間（13）の左側空間（13a）に、圧縮機（51）が第２空間（7）の前後中程にそれぞれ配置されている。なお、図示しないが、四方切換弁（53）や電動膨張弁（55）も第２空間（7）に配置されている。
【００３４】
上記第１及び第２熱交換器（47,49）は共に、図３に示すようなクロスフィン型のフィン・アンド・チューブ熱交換器であり、多数枚のアルミニウム合金製フィン（57）が間隔をあけて並列配置されたフィン群（59）を備えている。このフィン群（59）のフィン配列方向両端面とフィン長手方向両端側の端面とは矩形の金属製枠板（61）で取り囲まれ、第１及び第２熱交換器（47,49）は上記枠板（61）を介して第３空間（13）の左右の空間（13a,13b）にそれぞれ配置されている。上記フィン群（59）には伝熱管（63）が配置されている。この伝熱管（63）は直管部（63a）とＵ字管部（63b）とで蛇行状に形成され、上記直管部（63a）が上記フィン群（59）をフィン配列方向に貫挿するとともに、上記Ｕ字管部（63b）が上記枠板（61）から突出している。また、上記伝熱管（63）の一端には接続管（65）の一端が接続され、この接続管（65）により伝熱管（63）を図示しない冷媒配管に接続するようになっている。
【００３５】
この発明の特徴として、上記第１及び第２熱交換器（47,49）のフィン（57）表面には、図８に示すように、吸着剤（60）とバインダ（62）とからなる担持層（58）が被覆されている。この吸着剤（60）としては、ゼオライト、シリカゲル又はそれらの混合物が採用され、バインダ（62）としては、ウレタン樹脂、アクリル樹脂又はエチレン酢酸ビニル共重合体が採用される。
【００３６】
上記担持層（58）は、フィン（57）表面から厚さ方向外側に向かって順に、フィン隣接層（58a）、第２層（58b）、第３層（58c）及び最外層（58d）が積層された多層構造になっている。図８においては○印が吸着剤（60）を表しており、○印の密度が濃いほど吸着剤配合比が大きいことを示す。尚、図８は、各層の吸着剤配合比の差異を明確にするため、○印（吸着剤（60））の疎密を誇張して表している。そして、フィン隣接層（58a）から最外層（58d）へ向かって順に吸着剤配合比が漸次大きくなっていて、担持層（58）のうちフィン隣接層（58a）が最も吸着剤（60）が少なく、最外層（58d）が最も吸着剤（60）が多くなっている。逆に、担持層（58）のうちフィン隣接層（58a）が最もバインダ（62）が多く、最外層（58d）が最もバインダ（62）が少なくなっている。
【００３７】
上記担持層（58）は、フィン（57）表面を表面処理した後、吸着剤（60）とバインダ溶液とを混合したスラリーをフィン（57）表面に塗布し、スラリーが乾燥固化することで、吸着剤（60）並びにフィン（57）及び吸着剤（60）同士がバインダ（62）によって固着されて形成される。このとき、吸着剤配合比の異なるスラリーを重ね塗ることによって、上記担持層（58）は多層構造となる。また、吸着剤配合比が小さいスラリーから重ね塗ることによって、フィン（57）に近い層ほど吸着剤配合比が小さく、担持層（58）の最外層（58d）に向かって吸着剤配合比が漸次大きくなる。尚、上記表面処理としては、スラリーがフィン（57）表面ではじかないようにするための脱脂処理等が行われる。
【００３８】
このように構成された調湿装置の調湿動作について図４〜７を参照しながら説明する。
【００３９】
−調湿装置の調湿動作−
この調湿装置では、除湿運転と加湿運転とが切り換え可能となっている。また、除湿運転中や加湿運転中には、第１動作と第２動作とが交互に繰り返される。
【００４０】
《除湿運転》
除湿運転時において、調湿装置では、給気ファン（43）及び排気ファン（37）が運転される。そして、調湿装置は、室外空気（OA）を第１空気として取り込んで室内に供給する一方、室内空気（RA）を第２空気として取り込んで室外に排出する。
【００４１】
まず、除湿運転時の第１動作について、図２及び図４を参照しながら説明する。この第１動作では、第１熱交換器（47）において吸着剤（60）の再生が行われ、第２熱交換器（49）において第１空気である室外空気（OA）の除湿が行われる。
【００４２】
第１動作時において、冷媒回路（45）では、四方切換弁（53）が図２（ａ）に示す状態に切り換えられる。この状態で圧縮機（51）を運転すると、冷媒回路（45）で冷媒が循環し、第１熱交換器（47）が凝縮器となって第２熱交換器（49）が蒸発器となる第１冷凍サイクル動作が行われる。具体的には、圧縮機（51）から吐出された冷媒は、第１熱交換器（47）で放熱して凝縮し、その後に電動膨張弁（55）へ送られて減圧される。減圧された冷媒は、第２熱交換器（49）で吸熱して蒸発し、その後に圧縮機（51）へ吸入されて圧縮される。そして、圧縮された冷媒は、再び圧縮機（51）から吐出される。
【００４３】
また、第１動作時には、第２開口（11ｂ）、第３開口（11ｃ）、第５開口（9a）及び第８開口（9d）が開口状態となり、第１開口（11a）、第４開口（11d）、第６開口（9b）及び第７開口（9c）が閉鎖状態になる。そして、図４に示すように、第１熱交換器（47）へ第２空気としての室内空気（RA）が供給され、第２熱交換器（49）へ第１空気としての室外空気（OA）が供給される。
【００４４】
具体的には、室内空気吸込口（39）より流入した第２空気は、第２流入路（29）から第５開口（9a）を通って第３空間（13）の右側空間（13b）へ送り込まれる。右側空間（13b）では、第２空気が第１熱交換器（47）を上から下へ向かって通過して行く。第１熱交換器（47）では、外表面に担持された吸着剤（60）が冷媒により加熱され、この吸着剤（60）から水分が脱離する。吸着剤（60）から脱離した水分は、第１熱交換器（47）を通過する第２空気に付与される。第１熱交換器（47）で水分を付与された第２空気は、第３空間（13）の右側空間（13b）から第３開口（11c）を通って第１流出路（25）へ流出する。その後、第２空気は、排気ファン（37）へ吸い込まれ、排気吹出口（35）から排出空気（EA）として室外へ排出される。
【００４５】
一方、室外空気吸込口（33）より流入した第１空気は、第１流入路（23）から第２開口（11b）を通って第３空間（13）の左側空間（13a）へ送り込まれる。左側空間（13a）では、第１空気が第２熱交換器（49）を上から下へ向かって通過して行く。第２熱交換器（49）では、その表面に担持された吸着剤（60）に第１空気中の水分が吸着される。その際に生じる吸着熱は、冷媒が吸熱する。第２熱交換器（49）で除湿された第１空気は、第３空間（13）の左側空間（13a）から第８開口（9d）を通って第２流出路（31）へ流出する。その後、第１空気は、給気ファン（43）へ吸い込まれ、給気吹出口（41）から供給空気（SA）として室内へ供給される。
【００４６】
次に、除湿運転時の第２動作について、図２及び図５を参照しながら説明する。この第２動作では、第２熱交換器（49）において吸着剤（60）の再生が行われ、第１熱交換器（47）において第１空気である室外空気（OA）の除湿が行われる。
【００４７】
第２動作時において、冷媒回路（45）では、四方切換弁（53）が図２（ｂ）に示す状態に切り換えられる。この状態で圧縮機（51）を運転すると、冷媒回路（45）で冷媒が循環し、第１熱交換器（47）が蒸発器となって第２熱交換器（49）が凝縮器となる第２冷凍サイクル動作が行われる。具体的には、圧縮機（51）から吐出された冷媒は、第２熱交換器（49）で放熱して凝縮し、その後に電動膨張弁（55）へ送られて減圧される。減圧された冷媒は、第１熱交換器（47）で吸熱して蒸発し、その後に圧縮機（51）へ吸入されて圧縮される。そして、圧縮された冷媒は、再び圧縮機（51）から吐出される。
【００４８】
また、第２動作時には、第１開口（11a）、第４開口（11d）、第６開口（9b）及び第７開口（9c）が開口状態となり、第２開口（11b）、第３開口（11c）、第５開口（9a）及び第８開口（9d）が閉鎖状態となる。そして、図５に示すように、第１熱交換器（47）へ第１空気としての室外空気（OA）が供給され、第２熱交換器（49）へ第２空気としての室内空気（RA）が供給される。
【００４９】
具体的には、室内空気吸込口（39）より流入した第２空気は、第２流入路（29）から第６開口（9b）を通って第３空間（13）の左側空間（13a）へ送り込まれる。左側空間（13a）では、第２空気が第２熱交換器（49）を上から下へ向かって通過して行く。第２熱交換器（49）では、外表面に担持された吸着剤（60）が冷媒により加熱され、この吸着剤（60）から水分が脱離する。吸着剤（60）から脱離した水分は、第２熱交換器（49）を通過する第２空気に付与される。第２熱交換器（49）で水分を付与された第２空気は、第３空間（13）の左側空間（13a）から第４開口（11d）を通って第１流出路（25）へ流出する。その後、第２空気は、排気ファン（37）へ吸い込まれ、排気吹出口（35）から排出空気（EA）として室外へ排出される。
【００５０】
一方、室外空気吸込口（33）より流入した第１空気は、第１流入路（23）から第１開口（11a）を通って第３空間（13）の右側空間（13b）へ送り込まれる。右側空間（13b）では、第１空気が第１熱交換器（47）を上から下へ向かって通過して行く。第１熱交換器（47）では、その表面に担持された吸着剤（60）に第１空気中の水分が吸着される。その際に生じる吸着熱は、冷媒が吸熱する。第１熱交換器（47）で除湿された第１空気は、第３空間（13）の右側空間（13b）から第７開口（9c）を通って第２流出路（31）へ流出する。その後、第１空気は、給気ファン（43）へ吸い込まれ、給気吹出口（41）から供給空気（SA）として室内へ供給される。
【００５１】
《加湿運転》
加湿運転時において、調湿装置では、給気ファン（43）及び排気ファン（37）が運転される。そして、調湿装置は、室内空気（RA）を第１空気として取り込んで室外に排出する一方、室外空気（OA）を第２空気として取り込んで室内に供給する。
【００５２】
まず、加湿運転時の第１動作について、図２及び図６を参照しながら説明する。この第１動作では、第１熱交換器（47）において第２空気である室外空気（OA）の加湿が行われ、第２熱交換器（49）において第１空気である室内空気（RA）から水分の回収が行われる。
【００５３】
第１動作時において、冷媒回路（45）では、四方切換弁（53）が図２（ａ）に示す状態に切り換えられる。この状態で圧縮機（51）を運転すると、冷媒回路（45）で冷媒が循環し、第１熱交換器（47）が凝縮器となって第２熱交換器（49）が蒸発器となる第１冷凍サイクル動作が行われる。
【００５４】
また、第１動作時には、第１開口（11a）、第４開口（11d）、第６開口（9b）及び第７開口（9c）が開口状態になり、第２開口（11b）、第３開口（11c）、第５開口（9a）及び第８開口（9d）が閉鎖状態になる。そして、図６に示すように、第１熱交換器（47）には第２空気としての室外空気（OA）が供給され、第２熱交換器（49）には第１空気としての室内空気（RA）が供給される。
【００５５】
具体的には、室内空気吸込口（39）より流入した第１空気は、第２流入路（29）から第６開口（9b）を通って第３空間（13）の左側空間（13a）へ送り込まれる。第２熱交換室（42）では、第１空気が第２熱交換器（49）を上から下へ向かって通過して行く。左側空間（13a）では、その表面に担持された吸着剤（60）に第１空気中の水分が吸着される。その際に生じる吸着熱は、冷媒が吸熱する。その後、水分を奪われた第１空気は、第４開口（11d）、第１流出路（25）、排気ファン（37）を順に通過し、排出空気（EA）として排気吹出口（35）から室外へ排出される。
【００５６】
一方、室外空気吸込口（33）より流入した第２空気は、第１流入路（23）から第１開口（11a）を通って第３空間（13）の右側空間（13b）へ送り込まれる。右側空間（13b）では、第２空気が第１熱交換器（47）を上から下へ向かって通過して行く。第１熱交換器（47）では、外表面に担持された吸着剤（60）が冷媒により加熱され、この吸着剤（60）から水分が脱離する。吸着剤（60）から脱離した水分は、第１熱交換器（47）を通過する第２空気に付与される。その後、加湿された第２空気は、第７開口（9c）、第２流出路（31）、給気ファン（43）を順に通過し、供給空気（SA）として給気吹出口（41）から室内へ供給される。
【００５７】
次に、加湿運転時の第２動作について、図２及び図７を参照しながら説明する。この第２動作では、第２熱交換器（49）において第２空気である室外空気（OA）の加湿が行われ、第１熱交換器（47）において第１空気である室内空気（RA）から水分の回収が行われる。
【００５８】
第２動作時において、冷媒回路（45）では、四方切換弁（53）が図２（ｂ）に示す状態に切り換えられる。この状態で圧縮機（51）を運転すると、冷媒回路（45）で冷媒が循環し、第１熱交換器（47）が蒸発器となって第２熱交換器（49）が凝縮器となる第２冷凍サイクル動作が行われる。
【００５９】
また、第２動作時には、第２開口（11b）、第３開口（11c）、第５開口（9a）及び第８開口（9d）が開口状態になり、第１開口（11a）、第４開口（11d）、第６開口（9b）及び第７開口（9c）が閉鎖状態になる。そして、図７に示すように、第１熱交換器（47）には第１空気としての室内空気（RA）が供給され、第２熱交換器（49）には第２空気としての室外空気（OA）が供給される。
【００６０】
具体的には、室内空気吸込口（39）より流入した第１空気は、第２流入路（29）から第５開口（9a）を通って第３空間（13）の右側空間（13b）に送り込まれる。右側空間（13b）では、第１空気が第１熱交換器（47）を上から下に向かって通過して行く。第１熱交換器（47）では、その表面に担持された吸着剤（60）に第１空気中の水分が吸着される。その際に生じる吸着熱は、冷媒が吸熱する。その後、水分を奪われた第１空気は、第３開口（11c）、第１流出路（25）、排気ファン（37）を順に通過し、排出空気（EA）として排気吹出口（35）から室外へ排出される。
【００６１】
一方、室外空気吸込口（33）より流入した第２空気は、第１流入路（23）から第２開口（11b）を通って第３空間（13）の左側空間（13a）に送り込まれる。左側空間（13a）では、第２空気が第２熱交換器（49）を上から下へ向かって通過して行く。第２熱交換器（49）では、外表面に担持された吸着剤（60）が冷媒により加熱され、この吸着剤（60）から水分が脱離する。吸着剤（60）から脱離した水分は、第２熱交換器（49）を通過する第２空気に付与される。その後、加湿された第２空気は、第８開口（9d）、第２流出路（31）、給気ファン（43）を順に通過し、供給空気（SA）として給気吹出口（41）から室内へ供給される。
【００６２】
以上、全換気モードの除湿運転及び加湿運転について説明したが、この調湿装置は、室内空気（RA）を第１空気として取り込み室内に供給する一方、室外空気（OA）を第２空気として取り込み室外に排出する循環モードの除湿運転や、室外空気（OA）を第１空気として取り込み室外に排出する一方、室内空気（RA）を第２空気として取り込み室内に供給する循環モードの加湿運転や、室外空気（OA）を第１空気として取り込み室内に供給する一方、室外空気（OA）を第２空気として取り込み室外に排出する給気モードの除湿運転や、室外空気（OA）を第１空気として取り込み室外に排出する一方、室外空気（OA）を第２空気として取り込み室内に供給する給気モードの加湿運転や、室内空気（RA）を第１空気として取り込み室内に供給する一方、室内空気（RA）を第２空気として取り込み室外に排出する排気モードの除湿運転や、室内空気（RA）を第１空気として取り込み室外に排出する一方、室内空気（RA）を第２空気として取り込み室内に供給する排気モードの加湿運転をも行うものである。
【００６３】
−本実施形態の効果−
上記の調湿動作において、上記第１空気又は第２空気が蒸発器として機能する第１又は第２熱交換器（47,49）を通過する際に、第１及び第２熱交換器（47,49）の外表面に形成された担持層（58）の最も外側に位置する、すなわち、第１空気又は第２空気と最もよく接触する最外層（58d）には吸着剤（60）が比較的多く配合されているため、第１又は第２空気中の水分は吸着剤（60）に効率良く吸着される。
【００６４】
それと共に、上記担持層（58）とフィン（57）との界面を形成するフィン隣接層（58a）にはバインダ（62）が比較的多く配合されているため、担持層（58）は、しっかりとフィン（57）に接着している。
【００６５】
したがって、第１及び第２熱交換器（47,49）の外表面に形成された担持層（58）をフィン隣接層（58a）にはバインダ（62）が比較的多く、最外層（58d）には吸着剤（60）が比較的多くなるように構成することによって、担持層（58）のフィン（57）表面への接着性と担持層（58）の空気中の水分の吸着性とを同時に向上させることができる。
【００６６】
そして、上記担持層（58）は多層構造となっているため、担持層（58）に曲げ荷重等が作用し、厚さ方向に亀裂が生じた場合には、図９に示すように、各層の境界面毎に各亀裂の成長が止まる。したがって、上記担持層（58）は厚さ方向の亀裂に強い構造となっている。
【００６７】
また、上記担持層（58）の多層構造は、フィン隣接層（58a）から最外層（58d）に向かって吸着剤配合比が漸次増大しているため、フィン隣接層（58a）だけでなくフィン（57）表面に近い第２層（58b）も接着性に優れており一方、最外層（58d）だけでなく担持層（58）の外表面に近い第３層（58c）も吸着性に優れており、担持層（58）全体として接着性及び吸着性を向上させることができる。
【００６８】
さらに、上記バインダ（62）は、ウレタン樹脂、アクリル樹脂又はエチレン酢酸ビニル共重合体を採用することによって、セメント類等の無機物系バインダと比較して耐衝撃性に優れた担持層（58）を形成することができる。
【００６９】
《その他の実施形態》
本発明は、上記実施形態について、以下のような構成としてもよい。すなわち、上記担持層（58）はフィン隣接層（58a）、第２層（58b）、第３層（58c）、最外層（58d）からなる４層構造となっているが、これに限られず、２層構造や５層構造であってもよい。さらには、単層構造であってもフィン（57）近傍部の吸着剤配合比が比較的小さく、担持層（58）の最外部の吸着剤配合比が比較的大きければ、担持層（58）のフィン（57）表面への接着性と担持層（58）の空気中の水分の吸着性とを同時に向上させるという上記実施形態の効果を奏することができる。
【００７０】
また、上記担持層（58）はフィン隣接層（58a）から最外層（58d）に向かって吸着剤配合比が漸次増加する構成であったが、フィン隣接層（58a）の方が最外層（58d）よりも吸着剤配合比が小さければ構わない。
【００７１】
さらに、上記実施形態では、吸着剤（60）として、ゼオライト、シリカゲル又はそれらの混合物を採用しているが、それら以外であっても、活性炭、親水性若しくは吸水性を有する有機高分子ポリマ系材料、カルボキシル基若しくはスルホン酸基を有するイオン交換樹脂系材料、感温性高分子等の機能性高分子材料、又はセピオライト、イモゴライト、アロフェン若しくはカオリナイト等の粘土鉱物系材料等、水分の吸着に優れているものであれば特にこだわらない。
【００７２】
また、吸着剤（60）は、フィン（57）表面へのみ担持させるだけではなく、フィン（57）以外の上記金属製枠板（61）や伝熱管（63）へ担持させてもよい。こうすることによって、吸着剤（60）の担持量が増え、熱交換器の吸着性能をさらに向上させることができる。かかる場合においても担持層の厚さ方向で吸着剤配合比を変えることによって接着性と吸着性とを同時に向上させることができる。
【産業上の利用可能性】
【００７３】
この発明は、吸着剤（60）と冷凍サイクルとを利用して空気の湿度調節を行う調湿装置に有用である。
【図面の簡単な説明】
【００７４】
【図１】実施形態に係る調湿装置の概略構成図である。
【図２】実施形態に係る調湿装置の冷媒回路を示す配管系統図である。
【図３】実施形態に係る熱交換器の概略構成図である。
【図４】除湿運転の第１動作における空気の流れを示す調湿装置の概略構成図である。
【図５】除湿運転の第２動作における空気の流れを示す調湿装置の概略構成図である。
【図６】加湿運転の第１動作における空気の流れを示す調湿装置の概略構成図である。
【図７】加湿運転の第２動作における空気の流れを示す調湿装置の概略構成図である。
【図８】熱交換器のフィン表面に担持された担持層の模式断面図である。
【図９】亀裂が発生した担持層の模式断面図である。
【符号の説明】
【００７５】
４７    第１熱交換器（熱交換器）
４９    第２熱交換器（熱交換器）
５７    フィン
５８    担持層
６０    吸着剤
【図１】
2005283061.tif 000003
【図２】
2005283061.tif 000004
【図３】
2005283061.tif 000005
【図４】
2005283061.tif 000006
【図５】
2005283061.tif 000007
【図６】
2005283061.tif 000008
【図７】
2005283061.tif 000009
【図８】
2005283061.tif 000010
【図９】
2005283061.tif 000011